(57)【要約】      （修正有）【課題】オンタイマー機能を有効に活用できるようにする。【解決手段】放送受信システムにおいて、制御モジュールはオンタイマー設定メニューにおいて時刻情報の利用および非利用のどちらか一方を選択させ、外部から時刻情報を取得できた場合において時刻情報の利用を選択していれば時刻情報を利用して内部時計を修正し詳細設定モードとして電源オン時刻の設定を認め、時刻情報の非利用を選択していれば内部時計を修正せずに簡易設定モードとして電源オンまでの時間の設定を認めるように構成される。【選択図】図５
2010206291.tif 000002
【特許請求の範囲】
【請求項１】
放送波を受信する受信モジュールと、
少なくとも前記受信モジュールの電源オンに関するオンタイマー設定メニューを表示させる表示処理モジュールと、
前記オンタイマー設定メニューの設定項目について入力操作を行う操作モジュールと、
外部から取得される時刻情報を修正基準とする内部時計を参照して前記操作モジュールから入力される設定内容に対応する電源制御を行う制御モジュールとを備え、
前記制御モジュールは前記オンタイマー設定メニューにおいて前記時刻情報の利用および非利用のどちらか一方を選択させ、外部から前記時刻情報を取得できた場合において前記時刻情報の利用を選択していれば前記時刻情報を利用して前記内部時計を修正し詳細設定モードとして電源オン時刻の設定を認め、前記時刻情報の非利用を選択していれば前記内部時計を修正せずに簡易設定モードとして電源オンまでの時間の設定を認めることを特徴とする放送受信システム。
【請求項２】
前記制御モジュールは、前記詳細設定モードの設定項目として電源オンのリピート範囲をさらに設定することを特徴とする請求項１に記載の放送受信システム。
【請求項３】
前記制御モジュールは、前記詳細設定モードおよび前記簡易設定モードにおいて入力信号源、チャンネル、および音量を共通の設定項目として設定することを特徴とする請求項１に記載の放送受信システム。
【請求項４】
前記制御モジュールは、オンタイマー設定が前記詳細設定モードおよび前記簡易設定モードのどちらにあるかを通知モジュールにより通知することを特徴とする請求項１に記載の放送受信システム。
【請求項５】
前記通知モジュールは、前記詳細設定モードおよび簡易設定モードに対応して表示色を切り換え可能なＬＥＤを含むことを特徴とする請求項４に記載の放送受信システム。
【請求項６】
前記制御モジュールは、放送波から前記時刻情報を取得できない場合にオンタイマー設定メニューにおいて電源オン時刻の設定を認めないことを特徴とする請求項１に記載の放送受信システム。
【請求項７】
前記制御モジュールは、ネットワークから前記時刻情報を取得できない場合にオンタイマー設定メニューにおいて電源オン時刻の設定を認めないことを特徴とする請求項１に記載の放送受信システム。
【請求項８】
前記制御モジュールは、放送波およびネットワークから前記時刻情報を取得できない場合にオンタイマー設定メニューにおいて電源オン時刻の設定を認めないことを特徴とする請求項１に記載の放送受信システム。
【請求項９】
放送波を受信する受信モジュールと、少なくとも前記受信モジュールの電源オンに関するオンタイマー設定メニューを表示させる表示処理モジュールと、前記オンタイマー設定メニューの設定項目について入力操作を行う操作モジュールと、外部から取得される時刻情報を修正基準とする内部時計を参照して前記操作モジュールから入力される設定内容に対応する電源制御を行う制御モジュールとを備える放送受信システムの制御方法であって、
前記オンタイマー設定メニューにおいて前記時刻情報の利用および非利用のどちらか一方を選択させ、
外部から前記時刻情報を取得できた場合において前記時刻情報の利用を選択していれば前記時刻情報を利用して前記内部時計を修正し詳細設定モードとして電源オン時刻の設定を認め、前記時刻情報の非利用を選択していれば前記内部時計を修正せずに簡易設定モードとして電源オンまでの時間の設定を認めることを特徴とする制御方法。
【発明の詳細な説明】
【技術分野】
【０００１】
本発明は、オンタイマー機能を備えた放送受信システムおよびその制御方法に関する。
【背景技術】
【０００２】
近年では、テレビ受信装置等の放送受信システムの多機能化が進んでいる。これに伴い、例えばオンタイマー機能が放送受信システムに設けられている(例えば、特許文献１を参照)。このオンタイマー機能は、ユーザが所望の日時に電源をオンすることにより放送受信システムの受信動作を起動させるために利用される。
【０００３】
従来のアナログ放送用テレビ受信装置は、一般に電源をオンする日時までの時間を設定し、内部の時計回路で設定時間の経過を検出する方式を採用している。これに対して、デジタル放送用テレビ受信装置は、電源をオンする日時を設定し、放送波時刻情報に基づいて修正される内部の時計回路で設定時刻を検出する方式を採用している。
【先行技術文献】
【特許文献】
【０００４】
【特許文献１】特開２００６−９４３５８号公報
【発明の概要】
【発明が解決しようとする課題】
【０００５】
アナログ放送からデジタル放送への移行の進捗状況は地域（主として国）によって様々である。デジタル放送を開始した地域では、時刻情報が放送波として送出される。しかしながら、この放送波時刻情報が各放送局から送出されるタイミングにズレのある地域も存在する。また、デジタル放送用テレビ受信装置はデジタル放送の開始が遅れている地域でも販売される。上述の理由から正確な放送波時刻情報を取得できない場合、電源をオンする日時を設定しても正常に動作しないため、このオンタイマー機能を有効に活用できなかった。
【０００６】
本発明の目的は、オンタイマー機能を有効に活用できる放送受信システムおよびその制御方法を提供することにある。
【課題を解決するための手段】
【０００７】
本発明の第１観点によれば、放送波を受信する受信モジュールと、少なくとも受信モジュールの電源オンに関するオンタイマー設定メニューを表示させる表示処理モジュールと、オンタイマー設定メニューの設定項目について入力操作を行う操作モジュールと、外部から取得される時刻情報を修正基準とする内部時計を参照して操作モジュールから入力される設定内容に対応する電源制御を行う制御モジュールとを備え、制御モジュールはオンタイマー設定メニューにおいて時刻情報の利用および非利用のどちらか一方を選択させ、外部から時刻情報を取得できた場合において時刻情報の利用を選択していれば時刻情報を利用して内部時計を修正し詳細設定モードとして電源オン時刻の設定を認め、時刻情報の非利用を選択していれば内部時計を修正せずに簡易設定モードとして電源オンまでの時間の設定を認める放送受信システムが提供される。
【０００８】
本発明の第２観点によれば、放送波を受信する受信モジュールと、少なくとも受信モジュールの電源オンに関するオンタイマー設定メニューを表示させる表示処理モジュールと、オンタイマー設定メニューの設定項目について入力操作を行う操作モジュールと、外部から取得される時刻情報を修正基準とする内部時計を参照して操作モジュールから入力される設定内容に対応する電源制御を行う制御モジュールとを備える放送受信システムの制御方法であって、オンタイマー設定メニューにおいて時刻情報の利用および非利用のどちらか一方を選択させ、外部から時刻情報を取得できた場合において時刻情報の利用を選択していれば時刻情報を利用して内部時計を修正し詳細設定モードとして電源オン時刻の設定を認め、時刻情報の非利用を選択していれば内部時計を修正せずに簡易設定モードとして電源オンまでの時間の設定を認める制御方法が提供される。
【発明の効果】
【０００９】
これら放送受信システムおよびその制御方法では、オンタイマー設定メニューにおいて時刻情報の利用および非利用のどちらか一方を選択させ、外部から時刻情報を取得できた場合において時刻情報の利用を選択していれば時刻情報を利用して内部時計を修正し詳細設定モードとして電源オン時刻の設定を認め、時刻情報の非利用を選択していれば内部時計を修正せずに簡易設定モードとして電源オンまでの時間の設定を認める。例えば時刻情報の信頼性が低い地域では、時刻情報による内部時計の修正を回避するために、ユーザが操作モジュールを操作し、オンタイマー設定メニューにおいて認められた電源オンまでの時間を設定することが可能になる。従って、オンタイマー機能を有効に活用できるようになる。
【図面の簡単な説明】
【００１０】
【図１】本発明の一実施形態に係る放送受信システムの構成を概略的に示すブロック図である。
【図２】図１に示される放送受信システムに設けられるタイマーＬＥＤを示す図である。
【図３】図１に示すリモコンに設けられる様々な操作キーを示す図である。
【図４】図１に示すマイクロプロセッサにより行われるコマンド処理を示すフローチャートである。
【図５】図４に示すオンタイマー設定処理を詳細に示すフローチャートである。
【図６】図４に示すオンタイマー状態表示処理を詳細に示すフローチャートである。
【図７】図１に示すマイクロプロセッサが待機電力動作として行う電源オン処理を示すフローチャートである。
【図８】図５に示す処理で表示されたオンタイマー設定画面で放送波およびネットワーク時刻情報の利用に関連して電源オン時刻を設定した例を示す図である。
【図９】図５に示す処理で表示されたオンタイマー設定画面で放送波およびネットワーク時刻情報の非利用に関連して電源オン時の入力信号源を設定した例を示す図である。
【図１０】図５に示す処理で時刻情報を取得できた場合に時刻情報の非利用を設定した例を示す図である。
【図１１】図１０に示す設定の結果として電源オフまでの時間を設定した例を示す図である。
【図１２】図６に示す処理の結果として表示されたオンタイマー状態のＯＳＤ表示例を示す図である。
【図１３】図５に示すオンタイマー設定処理の第１変形例を示すフローチャートである。
【図１４】図１３に示す第１変形例で表示されるオンタイマー設定メニューの例を示す図である。
【図１５】図５に示すオンタイマー設定処理の第２変形例を示すフローチャートである。
【図１６】図１５に示す第２変形例で表示されるオンタイマー設定メニューの例を示す図である。
【発明を実施するための形態】
【００１１】
以下、本発明の一実施形態に係る放送受信システムについて添付図面を参照して説明する。この放送受信システムは例えば地上アナログ放送波、並びにＢＳ,ＣＳ,地上デジタル放送波を受信可能なテレビ受信装置である。
【００１２】
図１は、この放送受信システムの構成を概略的に示す。この放送受信システムは、マイクロプロセッサ１０、デジタル用チューナ１１、アナログ用チューナ１２、デジタル用復調器１３、アナログ用復調器１４、およびＴＳ復号器１５を備える。
【００１３】
ＢＳ,ＣＳ,地上デジタル放送波はアンテナ１から受信信号としてデジタル用チューナ１１に供給され、地上アナログ放送波はアンテナ１から受信信号としてアナログ用チューナ１２に供給される。デジタル用チューナ１１およびアナログ用チューナ１２はフェーズロックドループ(ＰＬＬ)方式であり、マイクロプロセッサ１０の制御により中心周波数および帯域幅等の受信パラメータを指定してそれぞれ所望の放送波を選局するために用いられる。
【００１４】
デジタル用チューナ１１で選局した放送波の受信信号は、例えば日本の場合にＯＦＤＭ(orthogonal frequency division multiplexing)方式のデジタル用復調器１３およびＴＳ復号器１５に順次供給され、これらでデジタル映像信号および音声信号として復調および復号される。アナログ用チューナ１２で選局された受信信号はアナログ用復調器１４に供給され、ここでアナログ映像信号および音声信号に復調される。
【００１５】
この放送受信システムはさらに、および信号処理部１６、グラフィック処理部１７、ＯＳＤ(on screen display)信号生成部１８、映像処理部１９、ディスプレイ２０、オンタイマーＬＥＤ２０Ａ、音声処理部２１、スピーカ２２、操作パネル２３、赤外線受光部２４、リモコン２５、フラッシュメモリ２６、ＵＳＢ(Universal Serial Bus)コネクタ２７、カードコネクタ２８、およびネットワーク通信回路２９を備える。信号処理部１６はＴＳ復号器１５からのデジタル映像信号および音声信号に対して選択的に所定のデジタル信号処理を施し、それぞれグラフィック処理部１７および音声処理部２１に出力する。また、信号処理部１６は、アナログ用復調器１４からのアナログ映像信号および音声信号を選択的にデジタル化し、このデジタル化された映像信号および音声信号に対して所定のデジタル信号処理を施し、それぞれグラフィック処理部１７および音声処理部２１に出力する。
【００１６】
グラフィック処理部１７は、信号処理部１６から出力されたデジタル映像信号にＯＳＤ信号生成部１８で生成されたＯＳＤ信号を選択的に重畳して出力する。映像処理部１９はグラフィック処理部１７から出力されたデジタル映像信号に対してディスプレイ２０に適合させる例えばサイズ調整等の変換を行う。ディスプレイ２０は映像処理部から出力された映像信号に対応する映像を表示する。音声処理部２１は信号処理部１６から出力されたデジタル音声信号をスピーカ２２に適合させる音量調整等の変換を行う。スピーカ２２は音声処理部２１から出力された音声信号に対応する音声を再生する。
【００１７】
マイクロプロセッサ１０は、操作パネル２３からの操作情報、またはリモコン２５から送出され赤外線受光部２４で受信された操作情報を受けて、その操作内容が反映されるように各コンポーネントを制御する。図２に示すように、マイクロプロセッサ１０は様々な処理および制御を行うＣＰＵ(central processing unit)３１、このＣＰＵ３１の制御プログラムおよび様々な初期データを保持するＲＯＭ(read only memory)３２、ＣＰＵ３１の入出力情報を一時的に格納する作業エリアを提供するＲＡＭ(random access memory)３３、Ｉ２Ｃバス等を介して各コンポーネントに対する設定情報および制御情報を入出力するインタフェース３４、および放送波やネットワーク経由で取得される時刻情報および日付情報に従って補正される時計回路３５を含む。放送波時刻情報はアンテナ１、デジタル用チューナ１１、デジタル用復調器１３、ＴＳ復号器１５を介してマイクロプロセッサ１０に供給される。他方、ネットワーク時刻情報はインターネットからネットワーク通信回路２９を介してマイクロプロセッサ１０に供給される。
【００１８】
フラッシュメモリ２６は様々な設定情報を保持する不揮発性メモリとして設けられる。様々な設定情報は、例えばオンタイマー設定に関連したデフォルト情報や設定情報やを含む。ＵＳＢコネクタ２７は様々なＵＳＢ機器を接続するために設けられる。カードコネクタ２８は様々なメディアカードを接続するために設けられる。また、ネットワーク通信回路２９はインターネットに直接あるいはＬＡＮ(local area network)経由で接続される。
【００１９】
また、マイクロプロセッサ１０は、ＯＳＤ信号生成部１８を制御してディスプレイ２０に表示すべき様々なメニュー画面の画像を生成するように構成されている。
【００２０】
ここで、デジタル用チューナ１１、アナログ用チューナ１２、デジタル用復調器１３、アナログ用復調器１４、およびＴＳ復号器１５は、放送波を受信する受信モジュールを構成する。操作パネル２３およびリモコン２５は、オンタイマー設定メニューの設定項目について入力操作を行うユーザインタフェースとして機能する操作モジュールを構成する。信号処理部１６、グラフィック処理部１７、ＯＳＤ信号生成部１８および映像処理部１９は、少なくとも受信モジュールに対する電源オン時刻を含むオンタイマー設定メニューをディスプレイ２０に表示させる表示処理モジュールを構成する。マイクロプロセッサ１０は、外部からの時刻情報を修正基準とする内部時計である時計回路３５を参照して操作モジュールから入力される設定内容に対応する電源制御を行う制御モジュールを構成し、オンタイマー設定メニューにおいて時刻情報の利用および非利用のどちらか一方を選択させ、外部から時刻情報を取得できた場合において時刻情報の利用を選択していれば時刻情報を利用して内部時計を修正し詳細設定モードとして電源オン時刻の設定を認め、時刻情報の非利用を選択していれば内部時計を修正せずに簡易設定モードとして電源オンまでの時間の設定を認めるように構成される。
【００２１】
図２はこの放送受信システムに設けられるタイマーＬＥＤを示す図である。この図に示すように、オンタイマーＬＥＤ２０Ａは、ディスプレイ２０の正面下方に設けられる。オンタイマーＬＥＤ２０Ａはマイクロプロセッサ１０の制御により緑色またはオレンジ色で選択的に点灯される。
【００２２】
図３はリモコン２５に設けられる様々な操作キーを示す。ユーザはメインメニューキー５０やクイックメニューキー５１の操作により選択肢を表示させ、続いて上下左右の方向キー５２の操作により選択肢を選択し、決定キー５３の操作により選択結果を確定させる。また、戻るキー５４は画面を戻すために操作され、終了キー５５は操作の終了通知として操作される。
【００２３】
図４はマイクロプロセッサ１０により行われるコマンド処理を示す。このコマンド処理は、操作パネル２３またはリモコン２５の操作時に操作情報として得られるコマンドに対して行われる。このコマンド処理では、最初にメインメニューキー操作があるかブロックＢ１１でチェックされる。このメインメニューキー操作が検出されると、メインメニュー画面がブロックＢ１２で表示される。このメインメニュー画面は、例えば「機器選択」、「機器操作」、「録画設定」、および「オンタイマー」のような機能の選択項目を含む。メインメニュー画面の表示後、ブロックＢ１３で「オンタイマー」を選択したかチェックされる。「オンタイマー」の選択が検出されなければ、他の機能処理がブロックＢ１４で行われ、再びブロックＢ１１に戻る。
【００２４】
「オンタイマー」の選択が検出されると、ブロックＢ１５でオンタイマー設定処理が行われ、これに続くブロックＢ１６でオンタイマー状態表示処理が行われる。この後、ブロックＢ１１に戻る。
【００２５】
また、メインメニューキー操作がブロックＢ１１で検出されない場合には、クイックメニューキー操作があるかブロックＢ１７でチェックされる。クイックメニューキーの操作が検出されなければ、他のキー操作処理がブロックＢ１８で行われ、再びブロックＢ１１に戻る。このクイックメニューキー操作が検出されると、クイックメニュー画面がブロックＢ１９で表示される。このクイックメニュー画面は、例えば「機器選択」、「機器操作」、および「オンタイマー」のような機能の選択項目を含む。クイックメニュー画面の表示後、ブロックＢ２０で「オンタイマー」を選択したかチェックされる。「オンタイマー」の選択が検出されなければ、他のキー操作処理がブロックＢ２１で行われ、再びブロックＢ１１に戻る。「オンタイマー」の選択が検出されると、これがオンタイマー表示処理がブロックＢ１６で行われ、この後ブロックＢ１１に戻る。
【００２６】
図５は図４に示すオンタイマーコマンド処理で得られる表示画面の遷移を示す。放送番組を視聴中にメインメニューキー操作をすると、メインメニュー画面が放送番組の映像に中央で重なるようにしてディスプレイ２０に表示される。ここで、「フォトフレーム」の選択操作をすると、フォトフレーム設定画面が放送番組の映像およびメインメニュー画面の代わりに表示される。このとき、フォトフレーム設定画面で開始操作をすると、フォトフレーム表示がフォトフレーム設定の結果に従って行われる。このフォトフレーム表示では、例えばアナログ時計のような付加情報画像がお気に入りフォト画像のフォトフレームに重ねて表示されている。ちなみに、フォトフレームはディスプレイ２０の表示画面全体を占有する。
【００２７】
また、クイックメニューキー操作をすると、クイックメインメニュー画面が放送番組の映像に左端付近で重なるようにしてディスプレイ２０に表示される。フォトフレーム設定が既に完了している場合には、「フォトフレーム」の選択操作をすると、フォトフレーム設定画面の表示が省略され、速やかにフォトフレーム表示がフォトフレーム設定の結果に従って行われる。尚、各表示画面は図４に示すように戻るキー操作、終了キー操作、およびリターン操作のいずれかにより１つ前の画面に戻ることができる。チャンネル番号キーであれば、放送番組の映像表示に戻る。
【００２８】
図５は、図４に示すオンタイマー設定処理を詳細に示す。オンタイマー設定処理において、マイクロプロセッサ１０は最初にオンタイマー設定画面をディスプレイ２０に表示する制御を行う。オンタイマー設定画面は、オンタイマー利用、時刻情報利用、電源オン時刻、リピート範囲、入力信号源、チャンネル、音量、電源オンまでの時間を設定項目Ｓ１〜Ｓ８として含む。初期状態では、設定項目Ｓ１〜Ｓ８がフラッシュメモリ２６にデフォルト情報に従った内容に設定されている。
【００２９】
続いて、放送波時刻情報を取得できたかブロックＢ３２でチェックされ、ネットワーク放送時刻情報を取得できたかブロックＢ３３でチェックされる。放送波時刻情報および放送時刻情報のいずれかが取得できた場合、さらにこの時刻情報の利用がオンかブロックＢ３４でチェックされる。時刻情報の利用がオンに設定されていれば、詳細設定モードとしてオンタイマー設定項目のうちの項目Ｓ１〜Ｓ７をブロックＢ３５でハイライトして設定変更を認める。他方、放送波時刻情報および放送時刻情報のどちらも取得できなかった場合、および時刻情報の利用がオフに設定されている場合には、簡易設定モードとしてオンタイマー設定項目のうちの項目Ｓ１，Ｓ５〜Ｓ８をハイライトして設定変更を認める。但し、時刻情報の利用に関する設定項目Ｓ２については、ハイライトされているかどうかに関係なく変更が認められる。
【００３０】
オンタイマー設定項目の設定では、ユーザがオンタイマー設定画面を参照して上下の方向キー５２で設定項目を指定し、左右の方向キー５２で設定項目の内容を変更する。
【００３１】
ブロックＢ３５またはＢ３６に続くブロック３７で、設定項目の内容が変更されたことが検出されると、設定項目の内容変更をオンタイマー設定画面に反映させるために、ブロックＢ３１に戻る。ブロックＢ３７で変更が検出されなければ、設定完了が決定キー(Enter)５３の操作により通知されたかブロックＢ３８でチェックされる。設定完了が検出されれば、ブロックＢ３９で設定項目の変更内容が全てフラッシュメモリ２６に保存され、オンタイマー設定処理が終了する。他方、設定完了が検出されなければ、設定中止が戻るキー(Return)５４の操作により通知されたかブロックＢ４０でチェックされる。設定中止が検出されれば、オンタイマー設定処理が終了する。他方、設定中止が検出されなければ、設定項目の内容変更を継続するためにブロックＢ３１に戻る。
【００３２】
図６は図４に示すオンタイマー状態表示処理を示す。オンタイマー状態表示処理において、マイクロプロセッサ１０は最初にオンタイマーの利用設定があるかブロックＢ５１でチェックする。オンタイマーの利用設定が無ければれば、オンタイマー状態表示処理を終了する。
【００３３】
オンタイマーの利用設定があれば、ブロックＢ５２で詳細設定モードでの設定があるかチェックされる。詳細設定モードでの設定が検出されると、詳細設定モードで設定された電源オン時刻まで緑色で点灯するようにブロックＢ５３でオンタイマーＬＥＤ２０Ａの動作を設定する。続くブロックＢ５４では、詳細設定モードでの設定内容を一時的にＯＳＤ表示する。この場合、オンタイマーＬＥＤ２０ＡおよびＯＳＤ表示は通知モジュールとして機能する。
【００３４】
他方、詳細設定モードでの設定がブロックＢ５２で検出されなければ、簡易設定モードで設定された電源オンまでの時間だけオレンジ色で点灯するようにブロックＢ５５でオンタイマーＬＥＤ２０Ａの動作を設定する。続くブロックＢ５６では、簡易設定モードでの設定内容を一時的にＯＳＤ表示する。この場合も、オンタイマーＬＥＤ２０ＡおよびＯＳＤ表示は通知モジュールとして機能する。
【００３５】
オンタイマ状態表示処理はブロックＢ５４またはＢ５６の実行完了に伴って終了する。
【００３６】
図７は図１に示すマイクロプロセッサ１０が待機電力動作として行う電源オン処理を示す。この電源オン処理はリモコン２５や操作パネル２３の操作により電源オフされたときに行われる。ブロックＢ６１では、オンタイマーの利用設定があるかチェックされる。オンタイマーの利用設定があれば、ブロックＢ６２で詳細設定モードでの設定があるかチェックされる。この詳細設定モードでの設定が検出されると、放送波またはネットワーク時刻情報に基づく電源オン時刻になったかブロックＢ６３で繰り返しチェックされる。電源オン時刻が検出されると、ブロックＢ６４で電源をオンし、電源オン処理を終了する。
【００３７】
また、詳細設定モードでの設定がブロックＢ６２で検出されなければ、ブロックＢ６５で電源オンまでの時間が経過したか繰り返しチェックされる。電源オンまでの時間の経過が検出されると、ブロックＢ６４で電源をオンし、電源オン処理を終了する。
【００３８】
さらに、オンタイマーの利用設定が無ければ、ブロックＢ６６で電源オンのキー操作があるか繰り返しチェックされる。電源オンのキー操作が検出されると、ブロックＢ６４で電源をオンし、電源オン処理を終了する。
【００３９】
オンタイマー設定画面で放送波およびネットワーク時刻情報の利用に関連して電源オン時刻を設定した例を図８に示す。ここでは、電源オン時刻が左右の方向キー５２の操作により「７：００」に設定されている。ちなみに、詳細設定モードでは、電源オン時刻として年月日および時分を選択可能であり、リピート範囲として、毎日、平日、週末、毎週を選択可能である。また、入力信号源、チャンネル、音量については、それぞれ「デジタル放送(ＤＴＶ)」、「平日(Mon-Fri)」、「１２  ＡＢＣ」、「２０」のようなデフォルト情報が詳細設定モードおよび簡易設定モードに対して共通に用意されている。
【００４０】
また、オンタイマー設定画面で放送波およびネットワーク時刻情報の非利用に関連して電源オン時の入力信号源を設定した例を図９に示す。ここでは、入力信号源が左右の方向キー５２の操作により「アナログ放送（ＡＴＶ）」に設定されている。
【００４１】
また、図５に示す処理で時刻情報を取得できた場合に時刻情報の非利用を設定した例を図１０に示す。ここでは、デジタル放送波(DTV)／ネットワーク（Network）時刻情報の利用が左右の方向キー５２の操作により「オフ」に設定されている。図１０に示す設定の結果として電源オフまでの時間を設定した例を図１１に示す。ここでは、電源オフまでの時間が左右の方向キー５２の操作により「６：３０」に設定されている。
【００４２】
図６に示す処理の結果として表示されたオンタイマー状態のＯＳＤ表示例を図１２に示す。ここでは、電源オン時刻が「７：００」であり、この時刻までの時間が「５時間３０分」であることが表示されている。
【００４３】
本実施形態の放送受信システムでは、放送波やネットワーク時刻情報を取得できる場合でもオンタイマー設定メニューにおいて電源オン時刻の代わりに電源オンまでの時間を設定することが認められる。例えば時刻情報の信頼性が低い地域では、時刻情報による内部時計の修正を回避するために、ユーザが操作パネル２３やリモコン２５を操作し、オンタイマー設定メニューにおいて認められた電源オンまでの時間を設定することが可能になる。従って、オンタイマー機能を有効に活用できるようになる。
【００４４】
尚、本発明は上述の実施形態に限定されず、様々に変形することも可能である。
【００４５】
例えば図５に示すオンタイマー設定処理は図１３に示す第１変形例のように変形してよい。この変形例では、ネットワーク時刻情報の取得に関する図５に示すブロック３３が削除されている。この場合、オンタイマー設定画面において時刻情報の利用に関する表示が例えば図１４に示すように変更される。
【００４６】
また、図５に示すオンタイマー設定処理は図１５に示す第２変形例のように変形してよい。この変形例では、放送波時刻情報の取得に関する図５に示すブロックＢ３２が削除されている。この場合、オンタイマー設定画面において時刻情報の利用に関する表示が例えば図１５に示すように変更される。
【００４７】
尚、オンタイマー設定画面の設定項目は任意に変更可能である。
【００４８】
また、オンタイマー状態表示処理で行われるＯＳＤ表示の表示形式も任意に変更可能である。
【００４９】
また、電源オン時刻や電源オンまでの時間は数字キーの代用としてチャンネルキー５６等を操作して入力されてもよい。
【００５０】
さらに、ここで述べたシステムの様々なモジュールは、ソフトウェアアプリケーション、ハードウェアおよび／またはソフトウェアモジュール、もしくはサーバのような１以上のコンピュータ上のコンポーネンツで実現可能である。これら様々なモジュールは別々に記載されている一方で、基礎となるロジックやコードの全てあるいは一部に配分されてもよい。
【符号の説明】
【００５１】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５…リモコン、２６…フラッシュメモリ、２９…ネットワーク通信回路、５０…メインメニューキー、５１…クイックメニューキー、５２…方向キー、５３…決定キー、５４…「戻る」キー、５５…「終了」キー、５６…チャンネルキー。
【図１】
2010206291.tif 000003
【図２】
2010206291.tif 000004
【図３】
2010206291.tif 000005
【図４】
2010206291.tif 000006
【図５】
2010206291.tif 000007
【図６】
2010206291.tif 000008
【図７】
2010206291.tif 000009
【図８】
2010206291.tif 000010
【図９】
2010206291.tif 000011
【図１０】
2010206291.tif 000012
【図１１】
2010206291.tif 000013
【図１２】
2010206291.tif 000014
【図１３】
2010206291.tif 000015
【図１４】
2010206291.tif 000016
【図１５】
2010206291.tif 000017
【図１６】
2010206291.tif 000018
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
放送波を受信する受信モジュールと、
少なくとも前記受信モジュールの電源オンに関するオンタイマー設定メニューを表示させる表示処理モジュールと、
前記オンタイマー設定メニューの設定項目について入力操作を行う操作モジュールと、
外部から取得される時刻情報で修正可能な内部時計を参照して、前記操作モジュールから入力される設定内容に応じた電源制御を行う制御モジュールと、
前記オンタイマー設定メニューにおいて前記時刻情報の利用および非利用のどちらか一方を選択させる選択手段と、
前記外部から前記時刻情報を取得できたか検出する検出手段とを備え、
前記制御モジュールは、
前記外部から前記時刻情報を取得できたことが前記検出手段にて検出された場合、前記時刻情報の利用が選択されていれば前記時刻情報を利用して前記内部時計を修正し第１の設定モードにて電源オン時刻の設定を認め、前記時刻情報の非利用が選択されていれば前記時刻情報を利用した前記内部時計の修正を行わずに第２の設定モードにて電源オンまでの時間の設定を認め、
前記外部から前記時刻情報を取得できなかったことが前記検出手段にて検出された場合、前記時刻情報の利用・非利用の選択に係わらず、前記時刻情報を利用した前記内部時計の修正を行わずに前記第２の設定モードにて電源オンまでの時間の設定を認め、電源オン時刻の設定を認めないことを特徴とする放送受信システム。
【請求項２】
前記制御モジュールは、前記第１の設定モードの設定項目として電源オンのリピート範囲をさらに設定することを特徴とする請求項１に記載の放送受信システム。
【請求項３】
前記制御モジュールは、前記第１の設定モードおよび前記第２の設定モードにおいて入力信号源、チャンネル、および音量を共通の設定項目として設定することを特徴とする請求項１に記載の放送受信システム。
【請求項４】
前記制御モジュールは、オンタイマー設定が前記第１の設定モードおよび前記第２の設定モードのどちらにあるかを通知モジュールにより通知することを特徴とする請求項１に記載の放送受信システム。
【請求項５】
前記通知モジュールは、前記第１の設定モードおよび第２の設定モードに対応して表示色を切り換え可能なＬＥＤを含むことを特徴とする請求項４に記載の放送受信システム。
【請求項６】
前記制御モジュールは、放送波から前記時刻情報を取得できない場合にオンタイマー設定メニューにおいて電源オン時刻の設定を認めないことを特徴とする請求項１に記載の放送受信システム。
【請求項７】
前記制御モジュールは、ネットワークから前記時刻情報を取得できない場合にオンタイマー設定メニューにおいて電源オン時刻の設定を認めないことを特徴とする請求項１に記載の放送受信システム。
【請求項８】
前記制御モジュールは、放送波およびネットワークから前記時刻情報を取得できない場合にオンタイマー設定メニューにおいて電源オン時刻の設定を認めないことを特徴とする請求項１に記載の放送受信システム。
【手続補正２】
【補正対象書類名】明細書
【補正対象項目名】０００７
【補正方法】変更
【補正の内容】
【０００７】
本発明の第１観点によれば、放送波を受信する受信モジュールと、少なくとも前記受信モジュールの電源オンに関するオンタイマー設定メニューを表示させる表示処理モジュールと、前記オンタイマー設定メニューの設定項目について入力操作を行う操作モジュールと、外部から取得される時刻情報で修正可能な内部時計を参照して、前記操作モジュールから入力される設定内容に応じた電源制御を行う制御モジュールと、前記オンタイマー設定メニューにおいて前記時刻情報の利用および非利用のどちらか一方を選択させる選択手段と、前記外部から前記時刻情報を取得できたか検出する検出手段とを備え、前記制御モジュールは、前記外部から前記時刻情報を取得できたことが前記検出手段にて検出された場合、前記時刻情報の利用が選択されていれば前記時刻情報を利用して前記内部時計を修正し第１の設定モードにて電源オン時刻の設定を認め、前記時刻情報の非利用が選択されていれば前記時刻情報を利用した前記内部時計の修正を行わずに第２の設定モードにて電源オンまでの時間の設定を認め、前記外部から前記時刻情報を取得できなかったことが前記検出手段にて検出された場合、前記時刻情報の利用・非利用の選択に係わらず、前記時刻情報を利用した前記内部時計の修正を行わずに前記第２の設定モードにて電源オンまでの時間の設定を認め、電源オン時刻の設定を認めない放送受信システムが提供される。
【手続補正３】
【補正対象書類名】明細書
【補正対象項目名】０００８
【補正方法】削除
【補正の内容】